(57)【特許請求の範囲】
【請求項１】
容器口部に打栓により嵌着されるキャップ基体と、該キャップ基体に蝶番を介して取着された開閉蓋とからなるキャップであって、
キャップ基体は、外筒と内筒、肩壁とを具備し、
外筒は、その所定個所に薄肉の連結部を残して切込みが形成され、上下方向に延びる引裂き部が設けられており、
肩壁は、外筒に沿って前記引裂き部に連続する切れ目が設けられ、肩壁裏面に前記切れ目に連続する切裂き溝が所定角度範囲にわたって刻設されており、
前記切れ目に対応する外筒の上面に摘み片が立設されていることを特徴とする液注出容器のキャップ。
【請求項２】
摘み片がキャップ基体の外筒の上端外周縁に沿って立設され、開閉蓋の側周壁外周面に摘み片に対応する抱持凹部が設けられていることを特徴とする請求項１記載の液注出容器のキャップ。
【請求項３】
開閉蓋の側周壁内周面に、外周面に設けられた抱持凹部に対応する突出面が設けられ、キャップ基体に立設された係合リングに前記突出面に係合する切欠面が設けられていることを特徴とする請求項２記載の液注出容器のキャップ。
【請求項４】
摘み片がキャップ基体の外筒の上端内周縁に沿って立設され、開閉蓋の側周壁内周面に摘み片に対応する抱持凹部が設けられていることを特徴とする請求項１記載の液注出容器のキャップ。
【請求項５】
開閉蓋の側周壁に摘み片を被嵌する切欠部が設けられていることを特徴とする請求項１記載の液注出容器のキャップ。
【請求項６】
摘み片の裏面に補強リブを付設し、開閉蓋に設けられた抱持凹部が、補強リブを含め摘み片を囲んで抱持するようにしたことを特徴とする請求項２記載の液注出容器のキャップ。
【請求項７】
外筒の下端部に切断溝を刻設した薄肉の連結板を残すようにして外筒を切欠き、該連結板と薄肉の連結部によって切裂き部を形成したことを特徴とする請求項１記載の液注出容器のキャップ。
【請求項８】
外筒の内周面に切欠きを設け、外筒表面に該表面と周面を同一とする薄肉の連結部を形成したことを特徴とする請求項１〜６記載の液注出容器のキャップ。
【請求項９】
切欠きが、その下端を摘み片の方向に傾斜させたことを特徴とする請求項８記載の液注出容器のキャップ。
【請求項１０】
肩壁に設けた切れ目に橋架け片を架設したことを特徴とする請求項１〜９記載の液注出容器のキャップ。
【発明の詳細な説明】
【０００１】
【発明の属する技術分野】
本発明は、容器口部に嵌着されたキャップ、とくに開閉蓋を蝶番により取着したキャップ基体を、打栓により容器口部に嵌着したキャップにおいて、使用後にキャップ基体を容器から簡単に取り外しできるようにした液注出容器のキャップに関する。
【０００２】
【従来の技術】
使用済みの液注出容器の素材樹脂の再利用にあたって異種材料の混入を防ぐために、容器口部に打栓された中栓、或いはキャップ基体を廃棄時に簡単に取り外し、分別廃棄するようにすることは従来より周知である。
また、キャップ基体に開閉蓋を蝶番によって開閉自在に取着したキャップにおいて、キャップ基体に引裂き部を設け、廃棄時に、キャップ基体に設けた摘み片を外側に引っ張ることによって引裂き部を引裂き、キャップ基体を取り外すようにしたキャップも公知である（例えば、特開平９−１７５５４８号公報、特開平１０−２８７３５６号公報参照）。
【０００３】
【発明が解決しようとする課題】
しかしながら、上記公知のキャップは、いずれもキャップ基体（前者では中栓３、後者では外筒１６）の外筒に引裂き部（前者では弱化ライン２０、後者では弱化ライン２２）を設け、該引裂き部を切り裂くための摘み片（前者では摘み２６、後者では摘み２８）を、キャップ基体の外筒の外側に突出するように設けている。
容器廃棄時のキャップ取り外しにあたって、摘み片が外筒の外側にあるため、摘み片を簡単に見つけることができ、操作が容易であるという点で利点があるが、容器の使用中に、開閉蓋の開閉時に摘み片が手先に触れ、違和感を与えるという問題があり、摘み片が突出しているという点では見栄えが良くなく、商品価値が落ちるという問題があった。
【０００４】
また、この種のキャップを取着した液注出容器は、過剰包装とならないために、キャップを被う密封包装をしないで、そのまま、店頭に並べて販売されるが、その際に、商品を手に取り、故意に摘み片をもって外筒の引裂き部を切り裂くような行為が行われる可能性もあった。
【０００５】
本発明は、上記の問題を考慮し、廃棄時に摘み片を引っ張ることによりキャップ基体に設けた引裂き部を引裂き、キャップ基体を容器口部から簡単に取り外せるようにしたキャップにおいて、摘み片がキャップ基体の外側に突出しないようにした液注出容器のキャップを提供することを目的とする。
【０００６】
【課題を解決するための手段】
本発明は、上記の課題を解決するため、液注出容器のキャップとして、容器口部に打栓により嵌着されるキャップ基体と、該キャップ基体に蝶番を介して取着された開閉蓋とからなるキャップであって、キャップ基体は、外筒と内筒、肩壁とを具備し、外筒は、その所定個所に薄肉の連結部を残して上下方向に延びる引裂き部が設けられ、肩壁は、外筒に沿って前記引裂き部に連続する切れ目が設けられ、切れ目に対応する外筒の上面に摘み片が立設され、肩壁裏面に前記切れ目に連続する切裂き溝が所定角度範囲にわたって刻設されていることを特徴とする構成を採用する。
【０００７】
また、摘み片と該摘み片を抱持する開閉蓋の実施態様として、摘み片がキャップ基体の外筒の上端外周縁に沿って立設され、開閉蓋の側周壁外周面に摘み片に対応する抱持凹部が設けられていることを特徴とする構成、または開閉蓋の側周壁内周面に、外周面に設けられた抱持凹部に対応する突出面が設けられ、キャップ基体の係合リングに前記突出面に係合する切欠面が設けられていることを特徴とする構成を採用する。
【０００８】
そして上記摘み片の抱持凹部は、開閉蓋の閉蓋時に摘み片に係合する位置に設けられ、凹部の形状は摘み片の外周縁と同一形状の輪郭を有し、凹部の深さは摘み部の厚さとし、円筒面上に底面を有するようにしている。
【０００９】
また、摘み片と開閉蓋の抱持凹部の別実施態様として、摘み片がキャップ基体の外筒の上端内周縁に沿って立設され、開閉蓋の側周壁内周面に摘み片に対応する抱持凹部が設けられていることを特徴とする構成を採用し、摘み片のいずれの位置にも共通する開閉蓋として、開閉蓋の側周壁に摘み片を被嵌する切欠部が設けられていることを特徴とする構成を採用する。
【００１０】
摘み片と抱持凹部の他の実施態様として、摘み片の裏面に補強リブを付設し、開閉蓋に設けられた抱持凹部が、補強リブを含め摘み片を囲んで抱持するようにしたことを特徴とする構成を採用する。
【００１１】
切裂き部の他の実施態様として、外筒の下端部に切断溝を刻設した薄肉の連結板を残すようにして外筒を切欠き、該連結板と薄肉の連結部によって切裂き部を形成したことを特徴とする構成、または外筒の内周面に切欠きを設け、外筒表面に該表面と周面を同一とする薄肉の連結部を形成したことを特徴とする構成、または切欠きが、その下端を摘み片の方向に傾斜させたことを特徴とする構成を採用する。
【００１２】
摘み片の揺動に対して、切れ目を補強するために肩壁に設けた切れ目に橋架け片を架設したことを特徴とする構成を採用する。
【００１３】
【発明の実施の形態】
次に、本発明の第１実施形態について、図面を参照して説明する。
図１において、Ａは容器、Ｂは容器の口部に嵌着されたキャップである。
容器Ａは、ガラスまたは硬質の合成樹脂によって成形されており、口部１と胴部２とを備え、口部１外周には、嵌合突条３と保持環４とが形成されている。
【００１４】
キャップＢは、キャップ基体Ｂ１と、該キャップ基体Ｂ１に蝶番Ｂ３によって開閉自在に取着された開閉蓋Ｂ２とからなり、容器Ａとは素材の異なる合成樹脂によって成形されている。
図２に示すように、キャップ基体Ｂ１は、外筒５と内筒６と、肩壁７とからなる嵌着部と、上記肩壁７から内方に延びる支持壁８に連設された注出筒９とを具えている。
【００１５】
前記外筒５内周には、容器Ａの口部１外周に形成された嵌合突条３に嵌合する係合突条１０が設けられており、内筒６外周には、キャップＢが容器口部１内周に一定の締め代を持って締着するよう膨出部１１が設けられている。
【００１６】
図３に示すように、外筒５の蝶番Ｂ３から離れた所定の位置には、切込みが形成され、内側に上下方向に薄肉の連結部１２を残すようにして引裂き部１３が設けられており、肩壁７には、連結部１２の上端部分から外筒５の内周に沿って周方向に延びる切れ目１４が穿設されている。
【００１７】
図４に示すように肩壁７裏面には切れ目１４に続いて、外筒５内周に沿って切れ目を含めて少なくとも１８０度を越え、蝶番Ｂ３に達しないような角度範囲にわたって、薄肉を残して切裂き溝１５が穿設されている。
該切裂き溝１５の断面は、三角形状となっており、その一辺は、外筒５の内周面から延びる垂直面となっている。
【００１８】
図３、５に示すように、引裂き部１３からやや離れ、切れ目１４に対応する位置に、外筒５の上端外周縁から上方に突出する周端縁１６を弧状とした摘み片１７が立設されており、その外側表面には、滑り止めのための多数の横条１８または縦条が刻設されている。
肩壁７上面には、上端周縁に膨出部１９を設けた係合リング２０が立設されている。
【００１９】
注出筒９は、図２に示すように、その上端周縁には外方に拡開され湾曲する注出口唇部２１が形成されており、下端には隔壁２２が連設されている。
図２，３，６に示すように、隔壁２２の裏面には、所定の形状に沿って薄肉を残してＶ字状の切断溝２３が設けられ、その内側の隔壁２２は、除去部２４となっている。
除去部２４の上面には、連結片２５を介して指掛けリング２６が設けられている。
指掛けリング２６を引き上げると、薄肉の切断溝２３が切断されて除去部２４は容易に取り去ることができ、注出孔２７が形成される。
【００２０】
図２，３，５に示すように、開閉蓋Ｂ２は、頂壁３０と側周壁３１とからなっており、頂壁３０の裏面には、密封リング３２が立設されている。
側周壁３１には、キャップ基体Ｂ１の摘み片１７に対応する位置に、摘み片１７の周端縁１６と同一形状を有し、閉蓋時に、周端縁１６に接合する段差３３を有し、底面３４が摘み片１７裏面に接合する抱持凹部３５が穿設されている。
側周壁３１の内周には、キャップ基体Ｂ１の肩壁７に立設された係合リング２０の膨出部１９に嵌合する係合溝３６が刻設されている。
【００２１】
蝶番Ｂ３は、キャップ基体Ｂ１の外筒５の上面と、開閉蓋Ｂ２の側周壁３１の上面を結び、中央部を薄肉とした一定巾の連結片３７を有しており、連結片３７の両側に位置して山形とした押え片３８ａ，ｂが外筒５と側周壁３１との間を接続して連設されている。
【００２２】
次に、上記構成による作用効果について説明する。
容器Ａに内容液を収納した後、キャップＢが打栓により容器口部１に嵌着される。
使用にあたって、キャップの開閉蓋Ｂ２を開き、指掛けリング２６を引き上げると、除去部２４が取り去られ、注出孔２７が開口される。
【００２３】
内容液注出後に容器を廃棄するにあたって、キャップ基体Ｂ１の摘み片１７を把持して径方向外方に引っ張ると、まず引裂き部１３の薄肉の連結部１２が切断されて、摘み片１７とその下方の外筒部分を外方に引き出すことができる。
さらに、摘み片１７を周方向に引っ張っていくと切裂き溝１５の垂直面の上端が切り裂かれ、外筒５を肩壁７から切り離すことができる。
【００２４】
切裂き溝１５は、少なくとも１８０度を越える角度範囲に刻設されているので、切裂き溝１５の全長が切断されたときは、キャップ基体Ｂ１は、容器口部１から簡単に取り外すことができる。
【００２５】
容器の使用前、或いは使用中に開閉蓋Ｂ２が閉じられているときには、摘み片１７は、その周端縁１６と裏面が開閉蓋Ｂ２の抱持凹部３５に接合して嵌合抱持される。
したがって、開閉蓋Ｂ２の閉蓋時には、側周壁３１の係合溝３６とキャップ基体Ｂ１の係合リング２０の膨出部１９とが嵌合し、容器内部を密封するとともに空中の塵埃がキャップ内に入ることを防ぐことができる。
【００２６】
また、開閉蓋Ｂ２の外周面と、摘み片１７の外側表面が面一となっているので、連結部１２を切断するよう摘み片１７を外方に引っ張ると、連結部１２の切断とともに摘み片１７下方の外筒部分に歪みが残り、摘み片１７の周端縁１６が、開閉蓋Ｂ２の抱持凹部３５の段差３３から外方にずれるので、連結部１２が切れているか否かを、視覚または触覚により確認することができる。
【００２７】
次に、開閉蓋の摘み片抱持凹部の構成を変更した第２実施形態について説明する。
前記第１実施形態では、開閉蓋Ｂ２の側周壁３１の外周面にキャップ基体Ｂ１の摘み片１７を係合抱持する抱持凹部３５を設けるようにしたが、本実施形態は、抱持凹部を形成する側周壁の形状を変更したものである。
以下、前記第１実施形態との相違点を中心に、同一の構成部分には符号に添字ａを付して説明する。
【００２８】
図７に示すように、キャップＢａは、キャップ基体Ｂａ１と該キャップ基体Ｂａ１に蝶番Ｂａ３を介して開閉自在に取着された開閉蓋Ｂａ２とからなっている。
キャップ基体Ｂａ１は、前記第１実施形態と同一の外筒５ａと肩壁７ａと内筒６ａとからなる嵌着部と注出筒９ａとを具えており、外筒５ａの所定個所には、薄肉の連結部１２ａを残すように形成された切込みによって引裂き部１３ａが設けられており、引裂き部１３ａからやや離れた外筒５ａ外周に沿って、摘み片１７ａが立設されている。
【００２９】
肩壁７ａには、外筒５ａに沿って切れ目１４ａとそれに続く切裂き溝１５ａが設けられ、その内側には、上端周縁に膨出部１９ａを設けた係合リング２０ａが立設されている。
摘み片１７ａに対応する係合リング２０ａの一部には、一定範囲にわたって切欠面４０が設けられている。
【００３０】
開閉蓋Ｂａ２の側周壁３１ａの外周面の摘み片１７ａに対応する位置には、摘み片１７ａの周端縁１６ａに係合する抱持凹部４１が形成され、該抱持凹部４１に対応して側周壁３１ａの内周面には、抱持凹部４１の形状より大きい形状を有する突出面４２が形成されている。
前記切欠面４０は、突出面４２に対応して位置し、突出面４２によって欠除された係合溝３６ａの長さにほぼ一致している。
【００３１】
開閉蓋Ｂａ２の閉蓋時には、側周壁３１ａの内周面の突出面４２は、キャップ基体Ｂａ１の係合リング２０ａの切欠面４０に係合し、側周壁３１ａの外周面の抱持凹部４１は、摘み片１７ａを抱持する。
したがって、本実施形態のキャップは、第１実施形態のキャップと同様の作用効果をもたらすとともに、開閉蓋の側周壁３１ａの抱持凹部４１に対応して内周に突出面４２を設けているから、開閉蓋側周壁３１ａの強度が部分的に弱化することはない。
【００３２】
次に、摘み片の位置と抱持凹部の位置を変更した第３実施形態について説明する。
本実施形態は、前記第１実施形態において、摘み片を外筒の外周縁から離して係合リングの周辺近くに立設し、開閉蓋の側周壁の内側に抱持凹部を設けるようにしたものである。
以下、第１実施形態との相違点を中心に、同一の構成部分には符号に添字ｂを付して説明する。
【００３３】
図８に示すように第１実施形態と同様に、キャップＢｂは、キャップ基体Ｂｂ１と、該キャップ基体Ｂｂ１に蝶番Ｂｂ３によって取着された開閉蓋Ｂｂ２とからなっている。
キャップ基体Ｂｂ１は、第１実施形態と同様に、外筒５ｂと肩壁７ｂ、内筒６ｂとからなる嵌着部と注出筒９ｂとを具えている。
【００３４】
外筒５ｂには、第１実施形態と同様の薄肉の連結部１２ｂを有する引裂き部１３ｂが設けられ、肩壁７ｂには切れ目１４ｂと上端周縁に膨出部１９ｂを設けた係合リング２０ｂが設けられている。
外筒５ｂの内側上端には、外筒５ｂ外周から離れた位置に切れ目１４ｂに沿って摘み片５０が設けられている。
【００３５】
開閉蓋Ｂｂ２の側周壁３１ｂの内周面には、摘み片５０に係合する段差５１と底面５２を有する抱持凹部５３が設けられており、開閉蓋Ｂｂ２の開閉時には、摘み片５０を外側から被い抱持するようにしている。
【００３６】
本実施形態のキャップＢｂは、閉蓋時には摘み片５０を隠すことになるので、普通の開閉蓋と同様の外観となり、また、使用中に誤って連結部が切断された場合には、摘み片が外側に偏寄し、開閉蓋側壁端に邪魔されて開閉することができなくなるので、連結部が切断されたか否かを簡単に見分けることができる。
使用前の閉蓋時には注意して連結部を見なければ切断の有無が見分けられない点を除くと、他は第１実施形態と同様に作用効果を得ることができる。
【００３７】
次に、抱持凹部の構成を変更した第４実施形態について説明する。
本実施形態は、第１実施形態において、開閉蓋の抱持凹部を切欠部に変えたものである。
以下、第１実施形態と相違する開閉蓋の構成を中心に、同一の構成部分には符号に添字ｃを付して説明する。
【００３８】
図９に示すようにキャップＢｃは、キャップ基体Ｂｃ１と開閉蓋Ｂｃ２とからなっており、キャップ基体Ｂｃ１の外筒５ｃには、薄肉の連結部１２ｃを有する切裂き部１３ｃと切れ目１４ｃが設けられ、切れ目１４ｃに対応する外筒５ｃの上端外周縁には摘み片１７ｃが立設されている。
開閉蓋Ｂｃ２の側周壁３１ｃには、摘み片１７ｃの周縁と同一形状の切欠部５５が設けられている。
【００３９】
開閉蓋Ｂｃ２の閉蓋時には、摘み片１７ｃ周縁に切欠部５５が被せられ、塵埃が入ることを防ぐとともに、外筒５ｃが切り裂かれたときには、摘み片１７ｃ表面と側周壁３１ｃとの間にずれが生じるので、第１実施形態と同様に、連結部が切断されているか否かを簡単に見分けることができる。
【００４０】
次に、本発明の第５実施形態について、図面を参照して説明する。
本実施形態は、前記各実施形態における摘み片、開閉蓋の摘み片把持凹部、外筒の引裂き部の構成を変更したものである。
以下前記第１実施形態に対応する構成部分に添字ｄを付して第５実施形態の構成を説明する。
【００４１】
図１０に示すように、キャップＢｄは、キャップ基体Ｂｄ１と、該キャップ基体Ｂｄ１に蝶番Ｂｄ３によって開閉自在に取着された開閉蓋Ｂｄ２とからなっている。
キャップ基体Ｂｄ１は、外筒５ｄと内筒６ｄと肩壁７ｄとからなる嵌着部と、上記肩壁７ｄの内周縁に沿って内筒６ｄから上方に延びるよう連設された注出筒９ｄとを具えている。
【００４２】
前記外筒５ｄ内周には、容器の口部外周に形成された嵌合突条に嵌合する係合突条１０ｄが設けられており、内筒６ｄ外周には、キャップＢｄが容器口部内周に締着するよう膨出部１１ｄが設けられている。
【００４３】
図１１に示すように、外筒５ｄの蝶番Ｂｄ３から離れた所定の位置には、外筒５ｄ下端部に薄肉の連結板６０を残すようにした切欠き６１が形成され、該切欠き６１の内側には連結板６０から一定の高さに達し、上端部を切れ目６２として残した薄肉の連結片６３が形成されている。
連結板６０には、連結片６３に対応する位置に切断溝６４が刻設され、連結板６０と連結片６３によって引裂き部１３ｄが形成されている。
【００４４】
肩壁７ｄには、切れ目６２に続いて外筒５ｄの内周に沿って周方向に延びる切れ目６５が穿設されており、該切れ目６５の中間には、橋架け片６６が設けられている。
【００４５】
図１０，１２に示すように肩壁７ｄ裏面には切れ目６５に続いて、外筒５ｄ内周に沿って切れ目６５を含め少なくとも１８０度を越え、蝶番Ｂｄ３に達しないような所定の角度範囲にわたって、薄肉を残して切裂き溝１５ｄが刻設されている。
該切裂き溝１５ｄの断面は、三角形状となっており、その一辺は、外筒５ｄの内周面から延びる垂直面となっている。
【００４６】
図１１，１３に示すように引裂き部１３ｄからやや離れ、切れ目６５に対応する位置に、外筒５ｄの上端外周縁から上方に突出する周端縁１６ｄを弧状とした摘み片１７ｄが立設されている。
該摘み片１７ｄの外側表面には、滑り止めのための多数の縦条１８ｄが刻設されており、内側裏面には、補強リブ６７が付設されている。
【００４７】
注出筒９ｄは、図１０に示すようにその上端周縁には、注出口唇部２１ｄが形成され、下端には肩壁から延びるように隔壁２２ｄが連設され、隔壁２２ｄの下方には、内筒６ｄが続いている。
第１実施例と同様に、隔壁２２ｄの裏面には、所定の形状に沿って切断溝２３ｄが設けられ、その内側の隔壁２２ｄは、除去部２４ｄとなっている。
除去部２４ｄの上面には、連結片２５ｄを介して指掛けリング２６ｄが設けられている。
肩壁７ｄ上面には、上端周縁に膨出部１９ｄを設けた係合リング２０ｄが立設されている。
【００４８】
図１０，１１に示すように、開閉蓋Ｂｄ２は、頂壁３０ｄと側周壁３１ｄとからなっており、頂壁３０ｄの裏面には、密封リング３２ｄが立設されている。
側周壁３１ｄの外周は、図１３，１４に示すように、キャップ基体Ｂｄ１の外筒５ｄの外周より小径となっており、キャップ基体Ｂｄ１の摘み片１７ｄに対応する位置に、閉蓋時に、摘み片１７ｄの周端縁１６ｄを囲む段差３３ｄを有し、底面３４ｄが摘み片１７ｄ裏面に付設された補強リブ６７を囲むように抱持凹部６８が穿設されている。
側周壁３１ｄの内周には、端部近くに膨出部６９が設けられている。
【００４９】
蝶番Ｂｄ３は、キャップ基体Ｂｄ１の外筒５ｄの上面と、開閉蓋Ｂｄ２の側周壁３１ｄの上面を結び、中央部を薄肉とした一定巾の連結片３７ｄを有しており、連結片３７ｄの両側に位置して山形とした押え片３８ｄａ，３８ｄｂが外筒５ｄと側周壁３１ｄとの間を接続して連設されている。
【００５０】
次に、上記構成による作用効果について説明する。
容器Ａｄに内容液を収納した後、キャップＢｄが打栓により容器口部１ｄに嵌着される。
使用にあたって、キャップの開閉蓋Ｂｄ２を開き、指掛けリング２６ｄを引き上げると、除去部２４ｄが取り去られ、注出孔２７ｄが開口される。
【００５１】
内容液注出後に容器を廃棄するにあたって、キャップ基体Ｂｄ１の摘み片１７ｄを把持して径方向外方に引っ張ると、まず引裂き部１３ｄの薄肉の連結片６３および連結板６０の切断溝６４が切断されて、摘み片１７ｄとその下方の外筒部分を外方に引き出すことができる。
さらに、摘み片１７ｄを周方向に引っ張っていくと切裂き溝１５ｄの垂直面の上端が切り裂かれ、外筒５ｄを肩壁７ｄから切り離すことができる。
【００５２】
切裂き溝１５ｄは、切れ目６５と合わせて少なくとも１８０度を越える角度範囲に刻設されているので、切裂き溝１５ｄの全長が切断されたときは、キャップ基体Ｂｄ１は、容器口部１ｄから簡単に取り外すことができる。
【００５３】
容器の使用前、或いは使用中に開閉蓋Ｂｄ２が閉じられているときには、摘み片１７ｄは、その周端縁１６ｄと補強リブ６７を付設した裏面が開閉蓋Ｂｄ２の抱持凹部６８に囲まれ抱持される。
したがって、開閉蓋Ｂｄ２の閉蓋時には、側周壁３１ｄの膨出部６９とキャップ基体Ｂｄ１の係合リング２０ｄの膨出部１９ｄとが嵌合し、容器内部を密封するとともに空中の塵埃がキャップ内に入ることを防ぐことができる。
【００５４】
摘み片１７ｄの裏面には、補強リブ６７が設けられ、把持凹部６８が摘み片１７ｄを補強リブ６７を含めて囲むようにしているので、開閉蓋Ｂｄ２の開閉にあたって把持凹部６８が摘み片１７ｄに衝接することはない。
また、切れ目６５に橋架け片６６が架設されているので、摘み片１７ｄの揺動によって切れ目６５が切り離され、外筒が切り開かれることはない。
【００５５】
外筒部分は、係合突条１０ｄがあることによって成形時の型抜きで、無理抜きとなるが、型抜き時には、連結板６０があることによって切裂き部１３ｄの左右に、型抜きピンの力が均一にかかり、外筒５ｄの切裂き部１３ｄ部分を破損することが少なくなっている。
それとともに、容器の使用中においては、連結板６０と橋架け片６６によって簡単に外筒が切り裂くことができないように補強されており、誤って切裂き部１３ｄが切り裂かれ、外筒５ｄが切り開かれることが防止される。
【００５６】
次に、第６実施形態について説明する。
本実施形態は、前記各実施形態において、外筒の裏面に設けた切裂き部を形成するための切欠きを外筒の裏面に設け、表面を円周面としたものである。
以下、前記第５実施形態との相違点を中心に、同一部分には添字ｄをｅに変えて説明する。
【００５７】
図１５に示すように、キャップＢｅは、キッャプ基体Ｂｅ１と開閉蓋Ｂｅ２とからなっており、キャップ基体Ｂｅ１の嵌着部とくに外筒５ｅの切裂き部１３ｅの構成のみについて説明し、その他は同一であるので、説明を省略する。
【００５８】
キャップ基体Ｂｅ１の嵌着部は、前記第５実施形態と同じく外筒５ｅと内筒と肩壁７ｅとからなっており、肩壁７ｅの内周端に沿って、内筒から上方に延びるように注出筒９ｅが設けられている。
【００５９】
外筒５ｅの所定の位置には、外筒５ｅの裏面に下端に連結板７０を残して切欠き７１が設けられ、該切欠き７１を挟んで外筒の表面側には薄肉の連結部７２が形成されている。
連結部７２に接続して連結板７０には、薄肉を残して切断溝７３が刻設されており、連結部７２と切断溝７３により切裂き部１３ｅが形成されている。
【００６０】
切欠き７１に対応して肩壁には外筒に沿って所定の位置に橋架け片６６ｅが設けられた切れ目６５ｅが設けられ、切れ目６５ｅに続いて所定角度範囲に切断溝１５ｅが設けられている。
切れ目６５ｅに対応して、外筒５ｅ上面には、裏面に補強リブ６７ｅを付設した摘み片１７ｅが立設されている。
【００６１】
使用後に摘み片を外方に引っ張ることによって、切裂き部を切断してキャップ基体の外筒を切り裂いていくことができ、キャップを容器口部から簡単に取り外すことができる。
また、切欠き７１は内部に設けられ、外筒の外表面は、切り裂きが行われないかぎり、一定であるので、故意または過失によるキャップの取り外しが視覚によって直ちに判断できる。
【００６２】
次に、第７実施形態について説明する。
本実施形態は、前記第６実施形態における切裂き部の構成を変更したものである。
図１６に示すように、キャップＢｆのキャップ基体Ｂｆ１の嵌着部は、前記第６実施形態と同じく外筒５ｆと肩壁７ｆを具えており、肩壁７ｆ上面には、外筒５ｆに沿って切れ目６５ｆが刻設され、該切れ目６５ｆに対応する外筒５ｆ上面の周縁には内側に補強リブ６７ｆを付設した摘み片１７ｆが立設されている。
【００６３】
外筒５ｆの内面には、摘み片１７ｆに近接して外筒５ｆ外周表面に連結部８０を残して傾斜する切欠き８１が形成されている。
切欠き８１の下端は、摘み片の方向に直線状に傾斜して延びており、傾斜した切裂き部１３ｆが形成されている。
該切欠き８１の下方は、外筒下端との間に薄肉８２を残しており、外筒下面は連続面となっている。
【００６４】
外筒の切り裂きにあたって、摘み片１７ｆを周方向に引っ張ると、まず、連結部８０の上端が切裂かれ、切り裂きが下部に波及するようにするとともに、肩壁７ｆの切れ目６５ｆを同時に切り裂くことができるので、効率よく切裂きができる。
【００６５】
【発明の効果】
本発明は、上記のように構成されているから、次の効果を奏する。
外筒に切裂き部を設け、肩壁上面に外筒内周に沿って切れ目を入れ、裏面に切れ目に続いて切裂き溝を、蝶番部を除く一定角度範囲に刻設したから、打栓されたキャップ基体を廃棄時に簡単に取り外すことができる。
【００６６】
上記実施形態では、外筒外周面に連結部８０を残すようにして切欠き８１を形成したが、これとは逆に、外筒内周面に連結部を残すようにして切欠きを形成するようにしてもよい。
【００６７】
摘み片を外筒の上端外周縁または上端内周面に沿って設け、開閉蓋に抱持凹部を設けて摘み片に係合するようにしているので、摘み片がキャップの表面から突出することがなく、また使用中のキャップ開閉蓋の閉蓋時にキャップ内に空気中の塵埃が入らない。
【００６８】
摘み片が外筒の外周上面に立設されている場合には、開閉蓋の閉蓋時に、その側周壁外周と摘み片の外周とが一致しており、連結部が切断されているときには、摘み片がずれるので、連結部が切れているか否かを、視覚または触覚により簡単に確認できる。
したがって、店頭に並べられた商品に不正が行われたか否かを外から確認できる。
【００６９】
外筒の切裂き部の下端部に外筒下面が連続するよう連結板を設けた場合には、成形後の型抜きに際して、切裂き部の破損を少なくすることができる。
【図面の簡単な説明】
【図１】本発明第１実施形態の容器とキャップの一部断面説明図である。
【図２】開閉蓋を開蓋したキャップの断面正面図である。
【図３】キャップの説明図で、（ａ）は開閉蓋を開いたときのキャップの平面図、（ｂ）は係合リングを除いた外筒と肩壁部分の平面図、（ｃ）は図（ｂ）のＡ−Ａ線における断面図である。
【図４】図２のＡ−Ａ線における嵌着部の拡大断面図である。
【図５】  開閉蓋を開蓋したキャップの背面図である。
【図６】開閉蓋を開蓋したキャップの底面図である。
【図７】第２実施形態の説明図で、（ａ）は開閉蓋を開いたときのキャップの平面図、（ｂ）は開閉蓋を開いたときのキャップの断面正面図、（ｃ）は要部の拡大説明図である。
【図８】第３実施形態の説明図で、（ａ）は開閉蓋を開いたときのキャップの平面図、（ｂ）は開閉蓋を開いたときのキャップの断面正面図である。
【図９】第４実施形態の説明図で、（ａ）は開閉蓋を開いたときのキャップの平面図、（ｂ）は開閉蓋を開いたときのキャップの断面正面図である。
【図１０】第５実施形態のキャップの開閉蓋を開いたときの断面正面図である。
【図１１】キャップの説明図で、（ａ）は開閉蓋を開いたときの平面図、（ｂ）は係合リングを取り除いた肩壁の要部拡大説明図、（ｃ）は図（ｂ）のＡ−Ａ線における断面図である。
【図１２】キャップの開閉蓋を開いたときの底面図である。
【図１３】キャップの開閉蓋を開いたときの背面図である。
【図１４】キャップ基体と開閉蓋の関係を示す説明図で  （ａ）は摘み片部分の要部拡大説明図、（ｂ）は図（ａ）のＡ−Ａ線における摘み片と抱持凹部の関係図である。
【図１５】第６実施形態のキャップの説明図で、（ａ）は開閉蓋を開いたときの平面図、（ｂ）は要部拡大説明図、（ｃ）は図（ｂ）のＡ−Ａ線における断面図である。
【図１６】第７実施形態のキャップの説明図で、（ａ）は開閉蓋を開いたときの平面図、（ｂ）は要部拡大説明図、（ｃ）はキャップの背面図である。
【符号の説明】
Ａ                                            容器
Ｂ、Ｂａ、Ｂｂ、Ｂｃ、Ｂｄ、Ｂｅ、Ｂｆ        キャップ
Ｂ１、Ｂａ１、Ｂｂ１、Ｂｃ１                  キャップ基体
Ｂｄ１、Ｂｅ１、Ｂｆ１                        キャップ基体
Ｂ２、Ｂａ２、Ｂｂ２、Ｂｃ２、Ｂｄ２、Ｂｅ２  開閉蓋
Ｂ３、Ｂａ３、Ｂｂ３、Ｂｄ３                  蝶番
１、１ｄ                                      口部
５、５ａ、５ｂ、５ｃ、５ｄ、５ｅ、５ｆ        外筒
６、６ａ、６ｂ、６ｄ                          内筒
７、７ａ、７ｂ、７ｄ、７ｅ、７ｆ              肩壁
９、９ａ、９ｂ、９ｄ、９ｅ                            注出筒
１２、１２ａ、１２ｂ、１２ｃ、７２、８０              連結部
１３、１３ａ、１３ｂ、１３ｃ、１３ｄ、１３ｅ、１３ｆ  引裂き部
１４、１４ａ、１４ｂ、１４ｃ、６５、６５ｅ、６５ｆ    切れ目
１５、１５ａ 、１５ｄ、１５ｅ                         切裂き溝
１７、１７ａ、１７ｃ、１７ｄ、１７ｅ、１７ｆ、５０    摘み片
３１、３１ａ、３１ｂ、３１ｃ、３１ｄ                  側周壁
３３、３３ｄ、５１            段差
３４、３４ｄ、５２            底面
３５、４１、５３、６８        抱持凹部
４０                          切欠面
４２                          突出面
５５                          切欠部
６０、７０                    連結板
６１、７１、８１              切欠き
６２                          切れ目
６３                          連結片
６４、７３                    切断溝
６６、６６ｅ                  橋架け片
６７、６７ｅ、６７ｆ          補強リブ
【図１】
0003839189.tif 000002
【図２】
0003839189.tif 000003
【図３】
0003839189.tif 000004
【図４】
0003839189.tif 000005
【図５】
0003839189.tif 000006
【図６】
0003839189.tif 000007
【図７】
0003839189.tif 000008
【図８】
0003839189.tif 000009
【図９】
0003839189.tif 000010
【図１０】
0003839189.tif 000011
【図１１】
0003839189.tif 000012
【図１２】
0003839189.tif 000013
【図１３】
0003839189.tif 000014
【図１４】
0003839189.tif 000015
【図１５】
0003839189.tif 000016
【図１６】
0003839189.tif 000017